(57)【要約】      （修正有）【課題】手入れが簡単で優れた効果を有する健康促進装置（足湯器）を提供する。【解決手段】健康促進装置は、浴槽２を具備する足湯器３と、浴槽内で使用するブーツ５を含んで構成される。浴槽に足を直接入れるのではなく、温水入りのブーツを履いてその状態で両足を足湯器の温水中に入れる。老廃物が浴槽内の温水に流出しないため、温水が長いあいだ汚れることがない。また健康促進装置は尻に敷く温熱マット７を備えている。温熱マットを併用することで毛細血管が拡がることによるデトックス効果が期待できる。また、アメジストとブラックトルマリンの天然石を足湯器の浴槽内に設置する。さらに温熱マットにもアメジストとブラックトルマリンを具備させる。このようなパワーストーンを具備することによりデトックス効果が更に高まる。【選択図】図１
0003208545.tif 000002
【実用新案登録請求の範囲】
【請求項１】
温水を貯留可能な浴槽を具備する足湯器と、
前記足湯器の浴槽内で使用する一足のブーツと、
足湯器の使用者の尻から腰や内蔵を温めて血流を良くする温熱マットと、
を有することを特徴とする健康促進装置。
【請求項２】
一種または二種以上の天然石が前記足湯器の浴槽内に設けられている、
ことを特徴とする請求項１に記載の健康促進装置。
【請求項３】
前記温熱マットは一種または二種以上の天然石を具備している、
ことを特徴とする請求項１又は２に記載の健康促進装置。
【請求項４】
前記天然石がアメジストとブラックトルマリンの二種で構成されている、
ことを特徴とする請求項２又は３に記載の健康促進装置。
【請求項５】
前記ブーツの内部に、岩塩、唐辛子、温泉成分が入れてある、
ことを特徴とする請求項１乃至４の何れかに記載の健康促進装置。
【考案の詳細な説明】
【技術分野】
【０００１】
本考案は、足湯器と温熱マットを利用した健康促進装置（足湯装置／足湯革命ラポール君）に関するものである。
【背景技術】
【０００２】
健康促進の手段として足湯が広く一般に知られている。足湯には、体質改善効果があるほか、むくみや冷え症などを改善し、ダイエットや美容にも効果があることが分かっている。そのため近年では、一般家庭で足湯を楽しむ器具として、足用の浴槽（足を入れる浴槽）を備えた「足湯器」が提供されており、広く一般に普及するに至っている。
【０００３】
しかしながら、足湯を実践するたびに足から老廃物が排出されるため、従来より提供されている家庭用の足湯器は、浴槽内の水を頻繁に交換したり、使うたびに浴槽を毎回洗浄するなどの煩雑手入れが必要であった。
【０００４】
そのため、足湯器の購入直後は使用頻度が高いものの、その手入れの煩雑さ故に、購入後短期間で使わなくなって、放置されたりリサイクルに出されるといった問題があった。
【０００５】
また、足湯の健康効果を更に高めるための工夫が本願考案者によって長年のあいだ研究されてきた。
【考案の概要】
【考案が解決しようとする課題】
【０００６】
そこで、上述した問題点に鑑み、本考案の目的は、手入れが簡単で足湯器を手軽に使用することを可能にするとともに、単なる足湯器よりも健康促進効果に優れた、新たな健康促進装置を提供することにある。
【課題を解決するための手段】
【０００７】
上記目的は、
温水を貯留可能な浴槽を具備する足湯器と、
前記足湯器の浴槽内で使用する一足のブーツと、
足湯器の使用者の尻から腰や内蔵を温めて血流を良くする温熱マットと、
を有する健康促進装置によって達成される。
【０００８】
上記健康促進装置では、一種または二種以上の天然石が前記足湯器の浴槽内に設けられている。
【０００９】
また上記健康促進装置において、温熱マットは一種または二種以上の天然石を具備している。
【００１０】
また上記健康促進装置では、天然石がアメジストとブラックトルマリンの二種で構成されている。
【００１１】
また上記健康促進装置では、ブーツの内部に、岩塩、唐辛子、温泉成分が入れてある。
【考案の効果】
【００１２】
本考案の健康促進装置は、水道水を温めた温水を貯留可能な浴槽（足湯槽）を具備する足湯器と、この浴槽内で使用する一足のブーツを含んで構成されている。すなわち、従来のように使用者の足を浴槽に直接入れるのではなく、使用者が両足に温水入りのブーツ（足湯用の専用の長靴）を履いて、その状態で、両足を足湯器の浴槽の温水中に入れるようになっている。つまり、使用者は温水入りのブーツを介して足湯を行うことになる。
したがって、足湯によって足から出る老廃物が浴槽内の温水に流出することがないため、当該温水が長いあいだ汚れることがなく、長期にわたって清浄な状態に保つことができる。例えば、浴槽内の水を１か月程度交換することなく、そのまま使い続けることができる。したがって、従来のように足湯器を使うたびに浴槽を洗浄したり浴槽内の水を毎回交換または廃棄する必要が無くなるので、足湯器の手入れが大幅に楽になる。
つまり、従来のように煩雑な手入れが不要になるので、老若男女を問わず、誰でも・いつでも・手軽に、足湯を楽しむことができる。また、手入れが簡単なため、長期にわたって飽きることなく足湯を実践することができる。
【００１３】
また、本考案の健康促進装置は、使用者の素足を直接浴槽に入れることがなく、また、個人的に且つ自分専用で使用できるため、血行良く衛生的である。
【００１４】
また、本考案の健康促進装置は、足湯器の使用者の尻に敷く温熱マットを備えている。足湯器とともに、尻を温める温熱マットを併用することで、血管を拡張させ毛細血管が拡がることによるデトックス効果が期待できるので、従来の足湯器単体よりも更に健康促進効果が高まる。したがって本考案によれば、長年にわたり血管年齢の若返りと健康促進に貢献できる。
【００１５】
また、本考案の健康促進装置では、アメジストとブラックトルマリンの組合せからなる天然石を、足湯器の浴槽内に設置する。さらに、温熱マットにも、アメジストとブラックトルマリンを具備させている。このようなパワーストーンを具備することによりデトックス効果が更に高まり、単なる足湯器よりも更に健康促進効果が高まる。
【００１６】
また、本考案の健康促進装置では、ブーツの内部に、岩塩などの塩、唐辛子、湯の花などの温泉成分を入れるようにする。これにより、デトックス効果等の更なる向上が期待できる。
【００１７】
このように、本考案の健康促進装置によれば、毛細血管が拡がってデトックス効果が飛躍的に高まり、また、自律神経のリズムが整えられて、免疫力がアップし、さらに体温を３７℃近く保持し、その結果、各種病気の予防を図ることができる。
【図面の簡単な説明】
【００１８】
【図１】本考案の健康促進装置を示す全体図である。
【図２】本考案の健康促進装置に含まれる足湯器の断面図と平面図である。
【図３】本考案の健康促進装置に含まれる温熱マットの平面図（透視図）である。
【考案を実施するための形態】
【００１９】
以下、添付図面に基づいて本考案の具体的実施形態について説明する。
【００２０】
本考案に係る健康促進装置は、図１に示すように、
・温めた水道水を貯留可能な浴槽２（足湯槽）を具備する足湯器３と、
・足湯器３の浴槽２内で使用する一足（左右一組）の長靴状のブーツ５と、
・足湯器３の使用者の尻に敷く電気式の温熱マット７と、
を含んで構成されている。
【００２１】
健康促進装置の使用時には、図１に示すように、足湯器３の浴槽２に温水が貯留される。また足湯器３は、水道水を所定温度の温水に加熱するための加熱機能のほか、温水が冷めないように所定温度に保温するための保温機能を具備している。
【００２２】
足湯器３の浴槽２内には、二種の天然石（パワーストーン）を収容した容器９が設けられている。本実施形態では図２に示すように、容器９には、二種の天然石として、アメジスト９１とブラックトルマリン９２が収容されている。容器９には多数の孔が形成されており、収容されたアメジスト９１とブラックトルマリン９２に対して、浴槽２内の温水が常に接触するようになっている。
【００２３】
容器９の素材は特に限定されないが、天然石を交換したり補充したり洗浄できるように、開封自在の容器で構成されていることが好ましい。例えば、多数の孔が形成されたプラスチック製の密封容器でもよく、あるいは、網素材で形成された袋でもよい。
【００２４】
一足のブーツ５は、例えば耐熱性のある樹脂製の風呂用ブーツ（長靴）で構成される。健康促進装置の使用時に、図１に示すように使用者がその両足にブーツ５を履いて、該ブーツ５内に水道水または温水を注ぎ、その状態で両足を足湯器３の浴槽２内に入れる。つまり、浴槽２内の温水は、使用者の足に直接触れることがなく、ブーツ５と該ブーツ内の水を介して使用者の足に足湯効果を与える。
【００２５】
また、足湯器３を使う際には、ブーツ５の内部に、岩塩、唐辛子、温泉成分を入れ、その状態でブーツ内に水道水または温水を注ぐ。例えば、左右のブーツのそれぞれに各材料を以下の分量で入れることが好ましい。
岩塩を所定量  ：  例えば、大さじ  １杯分
唐辛子を所定量：  例えば、大さじ  １杯分
各温泉地の湯の花（温泉成分）を所定量：  例えば、１欠片の半分
【００２６】
各温泉地の湯の花とは、温泉成分であって、例えば、姥湯温泉の湯の花である。湯の花の産出地は特に限定されず、各温泉地でとれる湯の花を利用することができる。
【００２７】
所定量の岩塩、所定量の唐辛子、所定量の湯の花は、袋入りのセットにする。一つの袋には、片側のブーツの投入する所定量の岩塩、所定量の唐辛子、所定量の湯の花の混合物を入れておく。このように必要量の材料（片側のブーツに投入する量）をあらかじめ袋詰めしておくことで、足湯の準備が楽になり、毎回簡単に足湯を実践することができる。
【００２８】
所定量の岩塩、所定量の唐辛子、所定量の湯の花を、左右のブーツのそれぞれに入れることで、デトックス効果等の更なる向上が期待できる。すなわち、毛細血管が拡がってデトックス効果が飛躍的に高まり、また、自律神経が整えられて、免疫がアップする。
【００２９】
なお、これらの材料は、ブーツ５の外側（足湯器３の浴槽２）に漏れ出ることはなく、また、浴槽２内の足は、ブーツ５によって浴槽２の温水から隔離される。したがって、足から排出される老廃物や、ブーツ５内に入れた各種材料によって、足湯器３の浴槽２や温水が汚れることがない。すなわち、使用者は足湯器３を毎回洗浄する必要はなく、ブーツ５だけを取り出して（例えばブーツ内を濯ぐなどして）洗浄すれば足りる。
【００３０】
温熱マット７は、足湯器３の使用者の尻を温めるための電気式マットであり、約７０℃まで加熱することが可能である。図３に示すようにこの温熱マット７は、電気発熱式の発熱体７０のほか、その内部に二種の天然石を内蔵している。本実施形態では、二種の天然石として、アメジスト７１とブラックトルマリン７３を使用している。
【００３１】
なお、容器９と温熱マット７の内部に設けるアメジストとブラックトルマリンの効果は次のとおりである。
【００３２】
アメジストの紫色とその柔らかな波動は、感情の乱れを鎮静化させ、安定させる。また、ストレスや疲労、精神的に落ち込んでいるときに使うことで、より良い幸福感が得られる。また、短気で怒りっぽい人などに効果があり、例えば怒りが湧いたとき、アメジストを握ったり、身につけたりすると、心の落ち着き、精神的不安を取り戻すことができる。また、アメジストには神経を癒す働きがあるので、やすらかな眠りを誘う効果がある。さらに、インスピレーションを強力に高めるとともに、直観力を高める効能がある。
【００３３】
ブラックトルマリンは、トルマリンの中で最もマイナスイオンを放ち、強力なパワーを持つ。過度な疲労やストレスを軽減する効果があるので、例えば、すぐに疲れてしまう人や、健康に自信がもてない人、持久力がないと感じる人などに効果があるパワーストーンである。また、体から、放射能汚染と重金属の排泄を助ける効果がある。また、その強力なキレート効果により、骨から有害物を出し、癌、放射能、電磁波、水銀中毒など、ＤＮＡを傷つけるものも引き出す。キレート効果とは、吸収されにくい成分を別の形に変えて染み込ませたり、有害物質を排出しやすい形に変えて出しやすくする働きのことをいう。
【符号の説明】
【００３４】
２      浴槽（足湯槽）    ・・・  例えば、温水を数リットル入れる。
３      足湯器
５      一足の長靴状のブーツ
７      温熱マット
９      天然石が入った容器
７０    発熱体    ・・・  例えば、１００ｖで４０℃〜４２℃を発熱する。
７１    アメジスト
７２    ブラックトルマリン
９１    アメジスト
９２    ブラックトルマリン
【図１】
0003208545.tif 000003
【図２】
0003208545.tif 000004
【図３】
0003208545.tif 000005